(57)【要約】【課題】  インバータ基板を冷陰極放電管と対向させて配置しても、冷陰極放電管を適正に発光させることができる照明装置を提供する。【解決手段】  ガラスバルブ５内に水銀が封入されると共にガラスバルブ５の両端部に一対の電極６が封着された冷陰極放電管１と、ガラスバルブ５に対向して配設された反射板２と、冷陰極放電管１を発光させるインバータ基板３とを備え、インバータ基板３が反射板２を介してガラスバルブ５に対向するように配設された照明装置において、ガラスバルブ５のインバータ基板３と対向する部位に装着された放熱手段４を備えていることを特徴とする。【選択図】図１
2007103055.tif 000002
【特許請求の範囲】
【請求項１】
ガラスバルブ内に水銀及び希ガスが封入されると共にガラスバルブの両端部に一対の電極が封着された冷陰極放電管と、前記冷陰極放電管に対向して配設された反射板と、前記冷陰極放電管を発光させるためのインバータ基板とを備え、前記インバータ基板が前記反射板を介して前記冷陰極放電管に対向するように配設された照明装置において、前記冷陰極放電管の前記インバータ基板と対向する部位に装着された放熱手段を備えていることを特徴とする照明装置。
【請求項２】
放熱手段は、ガラスバルブに装着された状態で反射板に当接するように構成されている請求項１記載の照明装置。
【請求項３】
放熱手段は、ガラスバルブに外嵌して装着されるリング体で構成されている請求項１乃至２の何れかに記載の照明装置。
【請求項４】
リング体は、シリコンゴムで成形されている請求項３記載の照明装置。
【発明の詳細な説明】
【技術分野】
【０００１】
本発明は、液晶ディスプレイや表示パネル等のバックライト等に採用される照明装置に関し、特には、インバータ基板を駆動することで冷陰極放電管を発光させるように構成された照明装置に関する。
【背景技術】
【０００２】
テレビやコンピュータのモニター等に採用される液晶ディスプレイや表示装置等のバックライトに採用される照明装置として、図４に示す如く、ガラスバルブ５内に水銀が封入されると共にガラスバルブ５の両端部に一対の電極６が封着された冷陰極放電管１と、冷陰極放電管１と対向するように配設され、冷陰極放電管１からの光を特定の方向に向ける反射板２と、冷陰極放電管１を発光させるインバータ基板３とを備えたものが公知である（例えば特許文献１参照）。
【０００３】
かかる照明装置は、インバータ基板３が反射板２を介して冷陰極放電管１（ガラスバルブ５）と対向するように配置され、該インバータ基板３にガラスバルブ５に封着された電極６が電気的に接続されている。これにより、かかる照明装置は、インバータ基板３の駆動で冷陰極放電管１を発光させ得るようになっている。
【０００４】
上記構成の照明装置は、冷陰極放電管１を介して液晶パネルや装飾が施された透過性パネルを反射板２に対して対向配置することで、冷陰極放電管１からの光をパネルに照射するバックライトとして機能するように構成されている。
【特許文献１】特許第３５８４７０５号明細書
【発明の開示】
【発明が解決しようとする課題】
【０００５】
ところで、近年、液晶ディスプレイや表示装置等の大型化に伴い、バックライトとして採用される照明装置についても大型化する傾向にあり、冷陰極放電管１が長尺に形成されたり、冷陰極放電管１を複数備えたりしている。
【０００６】
そのため、冷陰極放電管１を発光させるにあたり、インバータ基板３の発熱量が大きくなり、そのインバータ基板３の発熱が冷陰極放電管１に影響を与え、発光ムラが発生するといった問題がある。即ち、水銀は温度の低い所に移動傾向にあるため、インバータ基板３からの熱でガラスバルブ５の温度が局部的に高くなると、その領域の水銀がインバータ基板３からの熱影響の受けにくい温度の低い領域に移動してしまい、水銀量の少ない領域において点灯初期に他の部分に比べ暗くなってしまうといった問題が発生する。
【０００７】
そこで、本発明は、斯かる実情に鑑み、インバータ基板を冷陰極放電管と対向させて配置しても、冷陰極放電管を適正に発光させることができる照明装置を提供することを課題とする。
【課題を解決するための手段】
【０００８】
本発明に係る照明装置は、ガラスバルブ内に水銀及び希ガスが封入されると共にガラスバルブの両端部に一対の電極が封着された冷陰極放電管と、前記冷陰極放電管に対向して配設された反射板と、前記冷陰極放電管を発光させるインバータ基板とを備え、前記インバータ基板が前記反射板を介して前記冷陰極放電管に対向するように配設された照明装置において、前記冷陰極放電管の前記インバータ基板と対向する部位に装着された放熱手段を備えていることを特徴とする。
【０００９】
かかる照明装置によれば、冷陰極放電管のインバータ基板と対向する部位に装着された放熱手段を備えているので、インバータ基板の熱が冷陰極放電管に作用しても、放熱手段を介して放熱させることができ、冷陰極放電管（ガラスバルブ）内で局部的に温度上昇を防止することができる。これにより、ガラスバルブ内で局所的に水銀量が減少することがなく、冷陰極放電管を適正に発光させることができる。
【００１０】
本発明の一態様として、放熱手段は、ガラスバルブに装着された状態で反射板に当接するように構成されてもよい。このようにすれば、放熱手段を介して反射板にも熱が伝わるので、放熱手段及び反射板の両方で冷陰極放電管に作用した熱を放熱させることができる。これにより、放熱効率を高めることができ、冷陰極放電管をより適正に発光させることができる。
【００１１】
さらに、前記放熱手段は、ガラスバルブに外嵌して装着されるリング体で構成されていれば、ガラスバルブの周方向における放熱面積が大きくなり、放熱効率を高めることができる。この場合、前記リング体は、シリコンゴムで成形されることが好ましい。シリコンゴムは、熱伝導率が高いので、これでリング体を形成すれば、高い放熱効果を得ることができる。その上、シリコンゴムは弾性に富むため、冷陰極放電管（ガラスバルブ）を保護する保護手段としても機能する。
【発明の効果】
【００１２】
以上のように、本発明の照明装置によれば、インバータ基板を冷陰極放電管と対向させて配置しても、冷陰極放電管を適正に発光させることができるという優れた効果を奏し得る。
【発明を実施するための最良の形態】
【００１３】
以下、本発明の一実施形態について、添付図面を参照しつつ説明する。
【００１４】
本実施形態に係る照明装置は、液晶ディスプレイや表示装置等（以下、総称してディスプレイという。）のバックライトとして採用されるもので、図１に示す如く、冷陰極放電管１と、冷陰極放電管１に対向して配設される反射板２と、冷陰極放電管１を発光させるインバータ基板３と、冷陰極放電管１に作用する熱を放熱させる放熱手段４とを備えている。
【００１５】
冷陰極放電管１は、内周面に蛍光塗膜が形成された筒状のガラスバルブ５と、ガラスバルブ５の両端部に封着された一対の電極６とで構成され、前記ガラスバルブ５内には、水銀や希ガス（ネオンガスやアルゴンガス等）が封入されている。本実施形態に係る冷陰極放電管１は、両端部に封着された一対の電極６同士が対向するように、ガラスバルブ５がコの字状に形成されている。すなわち、ガラスバルブ５は、略平行をなす一対の直線部分（以下、直管部という。）７ａ，７ｂと、該一対の直管部７ａ，７ｂの端部同士を接続する部分（以下、接続管部という。）７ｃとにより、コの字状を呈して形成されている。
【００１６】
そして、本実施形態に係る照明装置は、大光量を得るべく、上記構成の冷陰極放電管１を複数備えている。複数の冷陰極放電管１は、ガラスバルブ５の直管部７ａ，７ｂ同士が所定間隔をおいて略平行をなし、各電極６が、ガラスバルブ５の直管部７ａ，７ｂと直交する方向で略一列に並ぶように配列されている。かかる冷陰極放電管１は、ガラスバルブ５の適宜箇所に装着されたブッシング８を介して反射板２に保持されている。なお、本実施形態に係るブッシング８は、後述する放熱手段４と同様にシリコンゴムで成形されている。
【００１７】
反射板２は、金属プレートやモールド成形品等で構成されている。反射板２は、冷陰極放電管１と対向するように配置され、冷陰極放電管１からの光を反射させ、該光を特定の方向に照射させるようになっている。本実施形態に係る照明装置は、上述の如く、複数の冷陰極放電管１が配列されているため、当該反射板２は、冷陰極放電管１の配列に沿ってそれぞれに対向するようになっている。
【００１８】
インバータ基板３は、冷陰極放電管１を発光させるためのものであり、冷陰極放電管１からの光の進行を阻害しないように、反射板２を介在させた状態で冷陰極放電管１（ガラスバルブ５）と対向するように配置されている。本実施形態に係るインバータ基板３は、平面視略長方形状に形成されており、各冷陰極放電管１（ガラスバルブ５）の端部に対向するように、長手方向を複数の冷陰極放電管１の電極６の配列方向に合わせて配置され、各冷陰極放電管１の電極６が電気的に接続されている。
【００１９】
放熱手段４は、インバータ基板３と対応する冷陰極放電管１（ガラスバルブ５）の部位に装着され、インバータ基板３の発熱によってガラスバルブ５に作用する熱を放熱できるようになっている。
【００２０】
本実施形態に係る放熱手段４は、ガラスバルブ５に外嵌して装着されるリング体で構成され、ガラスバルブ５と熱伝導可能に接続されて放熱フィンの如く作用し、ガラスバルブ５に作用する熱を放熱できるようになっている。本実施形態において、放熱手段４（リング体）は、弾性を有すると共に熱伝導率の高いシリコンゴムで成形されており、リング体自体の放熱効果を高めるようにしている、
放熱手段４（リング体）は、ガラスバルブ５に外嵌された状態で反射板２に接触しており、反射板２にも熱伝導する、即ち、反射板２を放熱手段として機能させるようになっている。また、このように弾性に富むシリコンゴムで構成したリング体を反射板２に接触させるようにすることで、ガラスバルブ５（冷陰極放電管１）を反射板２に対して所定間隔で維持し、該ガラスバルブ５を保護する保護手段としても機能する。
【００２１】
かかる照明装置は、以上の構成からなり、図２に示す如く、複数の冷陰極放電管１を介して反射板２と対向するように液晶パネルや表示パネル等（以下、総称してパネルという。）９を配置することで、ディスプレイのバックライトとなる。すなわち、複数の冷陰極放電管１からの光がパネル９の背面を照射し、該パネル９の前面に映像や画像が映し出されるディスプレイが構築されることになる。
【００２２】
本実施形態に係る照明装置は、複数の冷陰極放電管１を発光（点灯）させるに際し、インバータ基板３が発熱し、その熱が対向する冷陰極放電管１に作用することになるが、上述の如く、放熱手段４がガラスバルブ５に装着されているので、ガラスバルブ５に作用した熱が放熱され、冷陰極放電管１のガラスバルブ５内の温度が局部的に上昇することが抑制される。これにより、ガラスバルブ５内の水銀量が局部的な減少が防止されるので、ガラスバルブ５の全長に亘って発光ムラの発生が防止され、装着されるパネル９に対して適正な光を照射することができる。
【００２３】
以上のように、本実施形態に係る照明装置は、ガラスバルブ５のインバータ基板３と対向する部位に装着された放熱手段４を備えているので、インバータ基板３の熱が冷陰極放電管１に作用しても、放熱手段４を介して放熱させることができ、冷陰極放電管１（ガラスバルブ５）内での局部的な温度上昇を防止することができる。これにより、ガラスバルブ５内で局所的に水銀量が減少することがなく、冷陰極放電管１を適正に発光させることができる。
【００２４】
また、放熱手段４がガラスバルブ５に装着された状態で反射板２に当接するように構成されているので、放熱手段４及び反射板２の両方で冷陰極放電管１に作用した熱を放熱させることができ、放熱効率を高めることができる。
【００２５】
さらに、前記放熱手段４は、ガラスバルブ５に外嵌して装着されるリング体で構成したので、簡易な構成でありながら、ガラスバルブ５の周方向における放熱面積を大きくして放熱効率を高めることができる。そして、リング体を熱伝導効率に優れ且つ弾性に富むシリコンゴムで成形するようにしたので、高い放熱効果を得ることができる上に、冷陰極放電管１（ガラスバルブ５）を保護する保護手段材として機能させることができる。
【実施例１】
【００２６】
次に、本発明の作用及び効果の確認を行うべく、発明者が行った実験結果について説明する。なお、かかる実験は、下記の条件の基、放熱手段４を設けない場合と、放熱手段４を設けた場合とのそれぞれにおいて、冷陰極放電管１を周囲温度０℃で５００時間点灯させた後のガラスバルブ５内の水銀量を測定し、放熱手段４の有無と冷陰極放電管１の発光ムラの原因となるガラスバルブ５内の水銀量との関係を確認した。
【００２７】
実験に使用した冷陰極放電管１は、図３に示す如く、上記実施形態と同様、ガラスバルブ５をコの字状にしたもので、ランプ長（ガラスバルブ５の全長）８５６ｍｍ、外径３．０ｍｍ、内径２．０ｍｍに設定され、ガラスバルブ５における略平行をなす一対の直管部７ａ，７ｂの一端部同士を接続する接続管部７ｃの長さが２８ｍｍに設定されたものである。
【００２８】
水銀量の測定は、ガラスバルブ５における各直管部７ａ，７ｂの他端から一端に向けて１０ｍｍの範囲であって、直管部７ａ，７ｂ上の領域Ａ及び領域Ｇ、該領域Ａ及び領域Ｇと直管部７ａ，７ｂの一端側で隣接する領域であって、ガラスバルブ５におけるインバータ基板３と対向する直管部７ａ，７ｂ上の領域Ｂ及び領域Ｆ、領域Ｂ及び領域Ｆと直管部７ａ，７ｂの一端側で隣接する直管部７ａ，７ｂ上の領域であって、領域Ｂ及び領域Ｆとの境界から直管部７ａ，７ｂの一端から５０ｍｍの位置までの領域Ｃ及び領域Ｅ、並びに、領域Ｃ及び領域Ｅとに挟まれた領域であって、直管部７ａ，７ｂの一端から他端に向けて５０ｍｍの領域と接続管部７ｃとでコの字状をなす領域Ｄのそれぞれについて行った。そして、放熱手段４には、シリコンゴムで成形されたリング体を採用し、該放熱手段４を領域Ｂ及び領域Ｆ内に設けた。
【００２９】
上記条件の基、実験を行った結果、表１に示す如く、放熱手段４を設けなかった場合においては、領域Ｂ及び領域Ｆ内の水銀量が０μｇとなり、放熱手段４を設けた場合においては、領域Ｂで３００μｇ、領域Ｆで２９０μｇの水銀量を確保できた。以上のように、実験結果から、放熱手段４による放熱作用で、発光ムラの発生原因となる水銀の局部的な減少を防止できことが確認できた。従って、ガラスバルブ５に対向するようにインバータ基板３を設けても、発光ムラの発生を防止できる。
【００３０】
【表１】
2007103055.tif 000003
【００３１】
なお、本発明の照明装置は、上記実施形態及び実施例に限定されるものではなく、本発明の要旨を逸脱しない範囲内において種々変更を加え得ることは勿論である。
【００３２】
上記実施形態において、ガラスバルブ５をコの字状に形成した冷陰極放電管１を採用したが、これに限定されるものではなく、例えば、ガラスバルブ５をＵ字状にしたものや、ガラスバルブ５を直管状に形成した、いわゆる直管型のものであってもよい。
【００３３】
上記実施形態において、冷陰極放電管１を複数設けたが、これに限定されるものではなく、冷陰極放電管１を一本備えたものであってもよい。すなわち、インバータ基板３がガラスバルブ５と対向するように設けられ、そのインバータ基板３の発熱が冷陰極放電管１の発光に悪影響を与えるような構成であれば、上記放熱手段４を設ければ発光ムラの発生を抑えることができる。
【００３４】
上記実施形態において、放熱手段４をシリコンゴムで成形するようにしたが、これに限定されるものではなく、例えば、熱伝導性のある一般的なゴム、樹脂、金属等であってもよい。但し、ガラスバルブ５の保護等の観点を考慮すれば、上記実施形態と同様にシリコンゴムを採用することが好ましい。
【００３５】
上記実施形態において、放熱手段４をリング体で構成し、ガラスバルブ５に外嵌して装着するようにしたが、これに限定されるものではなく、例えば、ガラスバルブ５と反射板２との間に挟み込むような構成であってもよい。このようにしてもガラスバルブ５からの熱が放熱手段４に伝わり、その結果放熱されてガラスバルブ５の局部的な温度上昇を防止することができる。
【００３６】
上記実施形態において、放熱手段４（リング体）を反射板２に接触させ、反射板２も放熱手段４として機能させるようにしたが、これに限定されるものではなく、放熱手段４は、ガラスバルブ５に装着した状態で反射板２に非接触状態になるように構成してもよい。このようにしても、放熱手段４が放熱フィンとして作用し、ガラスバルブ５の局部的な温度上昇を防止することができる。
【産業上の利用可能性】
【００３７】
本発明の照明装置は、液晶ディスプレイや表示装置等のバックライト等の各種照明の分野で特に有用である。
【図面の簡単な説明】
【００３８】
【図１】本発明の一実施形態に係る照明装置の平面図
【図２】同実施形態に係る照明装置をバックライトとして採用したディスプレイの断面図
【図３】実施例に係る実験に採用した冷陰極放電管であって、水銀量の測定領域を説明するための説明図
【図４】従来の照明装置の平面図
【符号の説明】
【００３９】
１  冷陰極放電管
２  反射板
３  インバータ基板
４  放熱手段
５  ガラスバルブ
６  電極
７ａ，７ｂ  直管部
７ｃ  接続管部
８  ブッシュ
９  パネル
【図１】
2007103055.tif 000004
【図２】
2007103055.tif 000005
【図３】
2007103055.tif 000006
【図４】
2007103055.tif 000007